(57)【特許請求の範囲】
【請求項１】
スパッツにおいて、
一端部と他端部が相互着脱される本体と、
前記本体の下側内部で前記一端部から前記他端部まで延長された弾性ラインと、
前記弾性ラインに連結され、互いに離隔されて外部に露出された複数のホックと、を含み、
前記本体は、
前記一端部と前記他端部とを含む外皮と、
前記外皮の内側一部分に連結されて、前記外皮の内側一部分から前記下側方向に延長され、前記下側方向の下側端部が前記外皮と離隔された内皮と、を含み、
前記弾性ラインは前記内皮の前記下側端部の内部に位置し、
前記弾性ラインは前記内皮の前記下側端部の内部で前記外皮の前記一端部から前記他端部まで延長され、前記複数のホックはそれぞれ前記内皮の露出部によって露出された前記弾性ラインの一部分に連結されていることを特徴とするスパッツ。
【請求項２】
前記本体は、フレキシブルな素材を含む請求項１に記載のスパッツ。
【請求項３】
前記本体は四角形であり、前記一端部は前記四角形の一辺に対応し、前記他端部は前記四角形の他辺に対応する請求項１に記載のスパッツ。
【請求項４】
前記内皮は前記外皮の前記一端部及び前記他端部とそれぞれ連結された請求項１〜３の中の何れか一項に記載のスパッツ。
【請求項５】
前記弾性ラインは、前記外皮の前記一端部から前記他端部までの距離に比べ短い長さを有する請求項１〜４の中の何れか一項に記載のスパッツ。
【請求項６】
前記外皮は、前記外皮の下側一部分から下側方向に延長されたバンドと、
前記外皮の下側他部分に位置して、前記バンドの端部と着脱可能なバンド連結部と、をさらに含む請求項１〜５の中の何れか一項に記載のスパッツ。
【請求項７】
アイゼンにおいて、
靴の枠を閉ループ形態に囲み、前記靴が挿入される開口部を形成するフレキシブルバンド部と、
前記フレキシブルバンド部に形成され、請求項１〜６の中の何れか一項によるスパッツの前記ホックと締結される１つ以上の貫通孔と、
前記フレキシブルバンド部と連結されてチェーン形態に前記靴を囲み、複数のピークを含むチェーンピーク部と、を含み、
前記貫通孔は前記開口部と隣接して位置し、前記貫通孔から前記開口部に延長され、前記ホックと接触する陥没部をさらに含むことを特徴とするアイゼン。
【発明の詳細な説明】
【技術分野】
【０００１】
本発明は、スパッツ及びアイゼンに関し、より詳しくは、足と靴のそれぞれに装着されるスパッツ及びアイゼンに関する。
【背景技術】
【０００２】
一般に、スパッツ及びアイゼンはそれぞれ足と靴のそれぞれに装着する装置である。スパッツは足に装着されて、雪などが靴の内部に侵入することを防止する役割を果たし、アイゼンは靴に装着されて、雪や氷などの滑りやすい場所で靴が滑らないようにする役割を果たす。
【０００３】
上述した各役割を容易に実行するためにスパッツ及びアイゼンはそれぞれ足及び靴にそれぞれ堅固に装着されなければならない。
【発明の概要】
【発明が解決しようとする課題】
【０００４】
本発明の一実施例は足及び靴のそれぞれに堅固に装着されるスパッツ及びアイゼンを提供することを目的とする。
【課題を解決するための手段】
【０００５】
上述した技術的課題を達するために、本発明の第１側面は、スパッツ（ｓｐａｔｓ）において、一端部と他端部が相互着脱される本体と、上記本体の下側内部で上記一端部から上記他端部まで延長された弾性ラインと、上記弾性ラインに連結され、外部に露出された複数のホックとを含むスパッツを提供する。
【０００６】
上記本体はフレキシブルな素材を含むことができる。
【０００７】
上記本体は四角形であり、上記一端部は上記四角形の一辺に対応し、上記他端部は上記四角形の他辺に対応することができる。
【０００８】
上記本体は上記一端部と上記他端部とを含む外皮と、上記外皮の内側一部分に連結されて、上記外皮の内側一部分から上記下側方向に延長され、上記下側方向の下側端部が上記外皮と離隔された内皮とを含むことができる。
【０００９】
上記内皮は上記外皮の上記一端部及び上記他端部のそれぞれと連結されることができる。
【００１０】
上記内皮の上記下側端部の内部に上記弾性ラインが位置することができる。
【００１１】
上記内皮は、上記ホックが連結された上記弾性ラインの一部分を露出する露出部を含むことができる。
【００１２】
上記弾性ラインは、上記外皮の上記一端部から上記他端部までの距離に比べ短い長さを有することができる。
【００１３】
上記外皮は、上記外皮の下側一部分から下側方向に延長されたバンドと、上記外皮の下側他部分に位置して、上記バンドの端部と着脱可能なバンド連結部とをさらに含むことができる。
【００１４】
また、本発明の第２側面は、アイゼンにおいて、靴の枠を閉ループ（ｃｌｏｓｅｄ  ｌｏｏｐ）形態に囲み、上記靴が挿入される開口部を形成するフレキシブルバンド部と、上記フレキシブルバンド部に形成され、上述したスパッツの上記ホックと締結される１つ以上の貫通孔と、上記フレキシブルバンド部と連結されてチェーン形態に上記靴を囲み、複数のピークを含むチェーンピーク部とを含むアイゼンを提供する。
【００１５】
上記貫通孔は、上記開口部と隣接して位置することができる。
【００１６】
上記貫通孔から上記開口部に延長され、上記ホックと接触する陥没部をさらに含むことができる。
【発明の効果】
【００１７】
上述した本発明の課題解決手段の一部実施例の中の何れか一つによれば、足と靴のそれぞれに堅固に装着されるスパッツ及びアイゼンが提供される。
【図面の簡単な説明】
【００１８】
【図１】本発明の第１実施例に係るスパッツの内側を示す図である。
【図２】本発明の第１実施例に係るスパッツの外側を示す図である。
【図３】足に装着された本発明の第１実施例に係るスパッツを示す図である。
【図４】本発明の第２実施例に係るアイゼンの上側を示す図である。
【図５】本発明の第２実施例に係るアイゼンの下側を示す図である。
【図６】靴に装着された本発明の第２実施例に係るアイゼンを示す図である。
【発明を実施するための形態】
【００１９】
以下、添付した図面を参照して、本発明の各種実施例について、本発明が属する技術分野において通常の知識を有する者が容易に実施することができるように詳細に説明する。本発明は様々な異なる形態で具現されることができ、ここで説明する実施例に限定されな
い。
本発明を明確に説明するために、説明と関係のない部分は省略し、明細書全体を通じて同一または類似する構成要素については同じ参照符号を付ける。
また、図面で示した各構成の大きさと厚さは、説明の便宜のために任意に示したもので、本発明は必ずしも図示されたものに限定されるのではない。
また、明細書全体において、ある部分がある構成要素を「含む」とするとき、これは特に反対される記載がない限り、他の構成要素を除外するのではなく、他の構成要素を含むことができることを意味する。
【００２０】
以下、図１〜図３を参照して、本発明の第１実施例に係るスパッツを説明する。以下で説明するスパッツは登山など多様な野外活動で使用者の足に装着されて使用することができる。
【００２１】
図１は本発明の第１実施例に係るスパッツの内側を示す図である。図２は本発明の第１実施例に係るスパッツの外側を示す図である。図１に示されたスパッツの内側は使用者の足と直接対向する部分であり、図２に示されたスパッツの外側は外部環境と直接対向する部分である。
【００２２】
図１及び図２に示すように、本発明の第１実施例に係るスパッツ１０００は使用者の足に装着され、本体１００、弾性ライン２００、ホック３００を含む。
【００２３】
本体１００は防水能力を有することができ、容易に足を包むことができるようにフレキシブルな素材を含むことができる。本体１００は平面的に四角形形状を有し、四角形の一辺に対応して一端部Ｅ１が位置し、四角形の他辺に対応して他端部Ｅ２が位置する。本体１００の一端部Ｅ１と他端部Ｅ２が相互着脱されることにより、スパッツ１０００が使用者の足を包みながら足に装着されることができる。本体１００の一端部Ｅ１と他端部Ｅ２のそれぞれには、ベルクロ（Ｖｅｌｃｒｏ）（登録商標）またはボタンなどの着脱部材が位置することができ、着脱部材によって本体１００の一端部Ｅ１と他の端部Ｅ２が相互容易に着脱されてスパッツ１０００が足に対して容易に着脱されることができる。
【００２４】
本体１００は外皮１１０と内皮１２０とを含む。
外皮１１０は、上述した一端部Ｅ１と他端部Ｅ２とを含み、四角形を有している。外皮１１０は防水能力を有することができる。外皮１１０はバンド１１１とバンド連結部１１２とを含む。
【００２５】
バンド１１１は外皮１１０の下側一部分から下側方向に延長され、バンド連結部１１２は外皮１１０の下側他部分に位置する。バンド１１１の端部はバンドの連結部１１２と着脱可能に形成され、ベルクロ（登録商標）やボタンまたはホックなどの着脱部材によってバンド１１１の端部がバンド連結部１１２に容易に着脱されることができる。
【００２６】
一方、本発明の第１実施例に係るスパッツ１０００のバンド１１１とバンド連結部１１２はそれぞれスパッツ１０００の外皮１１０の外側に位置するが、本発明の他の実施例によるスパッツのバンドとバンドの連結部はそれぞれスパッツの外皮の内側に位置することができる。
【００２７】
内皮１２０は外皮１１０の内側一部分（一例として、外皮１１０の中央下部分）部分から本体１００の下側方向に延長されている。内皮１２０は外皮１１０の一端部Ｅ１から他端部Ｅ２まで延長されており、外皮１１０の一端部Ｅ１及び他端部Ｅ２のそれぞれと連結されている。それにより、内皮１２０の下側方向の下側端部が外皮１１０からフローティング（ｆｌｏａｔｉｎｇ）されることにより、内皮１２０の下側端部が外皮１１０と離隔される。
【００２８】
内皮１２０の下側端部の内部である本体１００の下側内部には、弾性ライン２００が位置しており、内皮１２０はホック３００が連結された弾性ライン２００の一部分を露出する露出部１２１を含む。
【００２９】
弾性ライン２００は内皮１２０の下側端部の内部で外皮１１０の一端部Ｅ１から他端部Ｅ２まで延長されている。弾性ライン２００は自体的に弾性を有し、外皮１１０の一端部Ｅ１から他端部Ｅ２までの距離に比べ短い長さを有する。それにより、内皮１２０の下側端部は外皮１１０に連結された上側端部に比べ短い長さを形成し、弾性ライン２００による弾性を有する。
【００３０】
ホック３００は複数個であり、内皮１２０の露出部１２１によって露出された弾性ライン２００の一部分に連結されている。ホック３００は外部に露出され、弾性ライン２００に連結された状態で靴やアイゼン（ｃｒａｍｐｏｎｓ）などに締結することができる。
一方、本発明の他の実施例に係るスパッツは一つのホックのみを含むことができる。
【００３１】
図３は足に装着された本発明の第１実施例に係るスパッツを示す図である。図３のａは、スパッツの外皮が靴の上側部分を覆った状態を示し、ｂは説明の便宜のためにスパッツの外皮を靴の上側部分から外した状態を示す。
図３に示すように、本発明の第１実施例に係るスパッツ１０００は足に装着される。
足に装着されたスパッツ１０００のバンド１１１は靴ＳＨの底を通ってバンド連結部１１２に連結される。それにより、スパッツ１０００が堅固に足に装着されると同時に、外部の干渉または歩く時スパッツ１０００が最初に装着された位置から移動されることが抑制される。
【００３２】
また、足に装着されたスパッツ１０００のホック３００は、弾性ライン２００に連結された状態で靴ＳＨに締結される。それにより、スパッツ１０００の全体部分の中の下側部分が靴ＳＨに堅固に支持されることにより、スパッツ１０００が堅固に足に装着されると同時に、外部の干渉または歩く時スパッツ１０００が最初に装着された位置から移動されることが抑制される。
【００３３】
つまり、バンド１１１とバンド連結部１１２によって外皮１１０が堅固に足に装着されると同時にホック３００により内皮１２０が堅固に足に装着されることにより、スパッツ１０００全体が堅固に足に装着されるので、外部の干渉または歩く時スパッツ１０００が最初に装着された位置から移動されることが抑制される。
【００３４】
また、足に装着されたスパッツ１０００のホック３００が弾性ライン２００に連結された状態で靴ＳＨに締結されることにより、内皮１２０の下側端部の内部に位置する弾性ライン２００の長さが減って内皮１２０の下側端部の長さが減るため、内皮１２０の下側端部が靴ＳＨの上側部分に密接に接するようになる。内皮１２０が靴ＳＨの上側部分に密接に接することで、外部の雪や落葉などの異物が外皮１１０を通って内皮１２０側に浸透しても内皮１２０を通って靴ＳＨの内部または内皮１２０の内部に浸透されることが防止される。つまり、足に堅固に装着されて、雪などの異物が靴ＳＨの内部に侵入することを防止するスパッツ１０００が提供される。
【００３５】
以下、図４〜図６を参照して、本発明の第２実施例に係るアイゼンを説明する。本発明の第２実施例に係るアイゼンは上述した本発明の第１実施例に係るスパッツのホックと締結される。
図４は本発明の第２実施例に係るアイゼンの上側を示す図である。図５は本発明の第２実施例に係るアイゼンの下側を示す図である。
【００３６】
図４及び図５に示すように、本発明の第２実施例に係るアイゼン２０００は靴に装着されて靴の滑りを防止し、フレキシブルバンド部６００、貫通孔７００、陥没部９００及びチェーンピーク部８００を含む。
【００３７】
フレキシブルバンド部６００は靴の枠を閉ループ（ｃｌｏｓｅｄ  ｌｏｏｐ）形態に囲み、靴が挿入される開口部ＯＡを形成する。フレキシブルバンド部６００は弾性を有するゴムで形成されることができる。フレキシブルバンド部６００がフレキシブルな特性を有すると同時に、弾性を有することにより、開口部ＯＡを通じて靴が容易にアイゼン２０００の内部に挿入することができ、また靴がアイゼン２０００の内部に挿入された後、フレキシブルバンド部６００が靴に堅固に密着される。
【００３８】
貫通孔７００は、フレキシブルバンド部６００に形成され、開口部ＯＡと隣接して位置している。貫通孔７００は、上述した本発明の第１実施例に係るスパッツのホックと締結されることができる。
【００３９】
陥没部９００は、フレキシブルバンド部６００の下側に位置しており、貫通孔７００から開口部ＯＡの方向に延長されている。陥没部９００は、上述した本発明の第１実施例に係るスパッツのホックと接触することができ、スパッツのホックが陥没部９００に位置することにより、ホックがフレキシブルバンド部６００の表面外部に突出されることが抑制される。
【００４０】
チェーンピーク部８００はフレキシブルバンド部６００と連結されてチェーン形態に靴の全部、後部、側部、底部を囲み、チェーンが結合される部分に位置する複数のピークを含む。チェーンピーク部８００は金属で形成されるが、これに限定されず、プラスチック、ゴム、セラミックス、合成材料等で形成されることができる。
【００４１】
図６は靴に装着された本発明の第２実施例に係るアイゼンを示す図である。
図６に示すように、本発明の第２実施例に係るアイゼン２０００は、スパッツ１０００と一緒に靴ＳＨに装着される。図６のａはスパッツの外皮が靴の上側部分を覆った状態を示し、ｂは説明の便宜のためにスパッツの外皮を靴の上側部分から外した状態を示す。
【００４２】
靴ＳＨに装着されたアイゼン２０００の貫通孔７００には、上述したスパッツ１０００のホック３００が締結される。それにより、スパッツ１０００及びアイゼン２０００のそれぞれが相互堅固に支持することにより、スパッツ１０００が堅固に足に装着され、同時に、アイゼン２０００が靴ＳＨに堅固に装着されるので、外部の干渉または歩く時スパッツ１０００とアイゼン２０００のそれぞれが最初に装着された位置から移動されることが抑制される。
【００４３】
また、貫通孔７００に締結されたホック３００が陥没部９００（図５に示す）に位置することにより、ホック３００がフレキシブルバンド部６００の表面外部に突出して靴ＳＨによって干渉されることが抑制される。それにより、外部の干渉または歩く時ホック３００が貫通孔７００から分離されることが抑制される。つまり、外部の干渉または歩く時スパッツ１０００とアイゼン２０００のそれぞれが最初に装着された位置から移動されることが抑制される。
【００４４】
このように、スパッツ１０００のホック３００がアイゼン２０００の貫通孔７００に締結されてスパッツ１０００とアイゼン２０００がそれぞれ相互堅固に支持されることにより、スパッツ１０００とアイゼン２０００はそれぞれ最初に装着された位置から移動されることが抑制される。それにより、スパッツ１０００は雪や落葉などの異物が靴ＳＨの内部に侵入することを防止し、アイゼン２０００は靴ＳＨに装着されて雪または氷などの滑りやすい場所で靴ＳＨが滑らないようにする役割を果たす。
【００４５】
さらに、足に装着されたスパッツ１０００のホック３００は、弾性ライン２００に連結された状態でアイゼン２０００の貫通孔７００に締結されることにより、スパッツ１０００の全体部分の中の下側部分が靴ＳＨに堅固に支持されるので、スパッツ１０００が堅固に足に装着されると同時に、外部の干渉または歩く時スパッツ１０００が最初に装着された位置から移動されることが抑制される。つまり、バンド１１１とバンド連結部１１２によって外皮１１０が堅固に足に装着されると同時に、アイゼン２０００の貫通孔７００に締結されたホック３００により内皮１２０が堅固に足に装着されることにより、スパッツ１０００全体が堅固に足に装着されるので、外部の干渉または歩く時スパッツ１０００が最初に装着された位置から移動されることが抑制される。
【００４６】
また、足に装着されたスパッツ１０００のホック３００が弾性ライン２００に連結された状態でアイゼン２０００の貫通孔７００に締結されることにより、内皮１２０の下側端部の内部に位置する弾性ライン２００の長さが減り、内皮１２０の下側端部の長さが減るため、内皮１２０の下側端部が靴ＳＨの上側部分に密接に接するようになる。内皮１２０が靴ＳＨの上側部分に密接に接することで、外部の雪や落葉などの異物が外皮１１０を通って内皮１２０側に浸透しても内皮１２０を通って靴ＳＨの内部または内皮１２０の内部に浸透されることが防止される。つまり、足に堅固に装着されて、雪などの異物が靴ＳＨの内部に侵入することを防止するスパッツ１０００が提供される。
【００４７】
以上のように、スパッツ１０００のホック３００がアイゼン２０００の貫通孔７００に締結されてスパッツ１０００とアイゼン２０００がそれぞれ相互堅固に支持されることにより、足と靴ＳＨにそれぞれ堅固に装着されるスパッツ１０００及びアイゼン２０００が提供される。
【００４８】
上述したように、好ましい実施例を通じて本発明を説明したが、本発明はこれに限定されず、特許請求範囲の概念と範囲を逸脱しない範囲内で様々な修正及び変形が可能であることは本発明が属する技術分野における者は容易に理解されることができる。
【図１】
0006542266.tif 000002
【図２】
0006542266.tif 000003
【図３（ａ）】
0006542266.tif 000004
【図３（ｂ）】
0006542266.tif 000005
【図４】
0006542266.tif 000006
【図５】
0006542266.tif 000007
【図６（ａ）】
0006542266.tif 000008
【図６（ｂ）】
0006542266.tif 000009